(57)【要約】【課題】  簡便且つ確実に入退館管理のセキュリティを高めることが可能な入退館セキュリティ管理システム、入退管理ゲート装置及び基地局の提供。【解決手段】  入退館セキュリティ管理システムＳは、入退館カードＣと、携帯電話機１と、入退管理ゲート装置３とから構成される。入退館カードＣ内に携帯電話番号情報を記録しておく。入退管理ゲート装置３がゲート３０の最寄りの基地局ＢＳにカード読取部３１で読取った入退館カードＣの携帯電話番号情報について携帯電話機１から位置情報登録済みか位置情報未登録かの問い合わせを行う。ゲート３０の最寄りの基地局ＢＳからの位置情報登録済み又は位置情報未登録の確認結果を受け取る。入退館カードＣから読取った携帯電話番号情報がゲート３０の最寄りの基地局ＢＳに位置情報登録済みである時、ゲート３０を開放する。【選択図】        図１
2007006004.tif 000002
【特許請求の範囲】
【請求項１】
入退館カードと、最寄りの基地局に位置情報登録を行う登録手段を備え、前記入退館カードを利用するカード利用者が携行する携帯電話機と、前記カード利用者が入退館するセキュリティ室の出入口に設置され、開閉可能なゲートとカード読取部を有する入退管理ゲート装置とから構成され、前記入退館カードと前記携帯電話機を連携して前記セキュリティ室への入退館のセキュリティを管理するシステムであって、
前記入退館カードは、カード情報と前記携帯電話機の携帯電話情報を記録しており、前記入退管理ゲート装置は、前記カード読取部により前記入退館カードの読取りを行い、そして、ゲートの最寄りの基地局に読取った前記入退館カードの携帯電話情報について前記カード利用者の携行する携帯電話機から位置情報登録済みか位置情報未登録かの問い合わせを行う問い合わせ手段と、該基地局からの位置情報登録済み又は位置情報未登録の確認結果を受け取る受取手段と、前記入退館カードから読取った携帯電話情報が該基地局に位置情報登録済みである時、前記ゲートを開放するゲート開閉制御手段とを備えたことを特徴とする入退館セキュリティ管理システム。
【請求項２】
入退館カードと、最寄りの基地局に位置情報登録を行う登録手段を備え、前記入退館カードを利用するカード利用者が携行する携帯電話機と、前記カード利用者が入退館するセキュリティ室の出入口に設置され、開閉可能なゲートとカード読取部を有する入退管理ゲート装置とから構成され、前記入退館カードと前記携帯電話機を連携して前記セキュリティ室への入退館のセキュリティを管理するシステムであって、
前記入退館カードは、カード情報と前記携帯電話機の携帯電話情報を記録しており、前記入退管理ゲート装置は、前記カード読取部により前記入退館カードの読取りを行い、そして、前記カード利用者の携行する携帯電話機から位置情報登録した携帯電話機の登録携帯電話情報をゲートの最寄りの基地局から取得する登録携帯電話情報取得手段と、前記入退館カードから読取った携帯電話情報と該基地局から取得した登録携帯電話情報とを照合する照合手段と、前記入退館カードから読取った携帯電話情報と該基地局から取得した登録携帯電話情報とが一致した時、前記ゲートを開放するゲート開閉制御手段とを備えたことを特徴とする入退館セキュリティ管理システム。
【請求項３】
カード情報と携帯電話機の携帯電話情報を記録してある入退館カードを利用するカード利用者が入退館するセキュリティ室の出入口に設置され、開閉可能なゲートとカード読取部を有しており、前記カード読取部により前記入退館カードから携帯電話情報の読取りを行い、そして、ゲートの最寄りの基地局に読取った前記入退館カードの携帯電話情報について前記カード利用者の携行する携帯電話機から位置情報登録済みか位置情報未登録かの問い合わせを行う問い合わせ手段と、前記基地局からの位置情報登録済み又は位置情報未登録の確認結果を受け取る受取手段と、前記入退館カードから読取った携帯電話情報が前記基地局に位置情報登録済みである時、前記ゲートを開放するゲート開閉制御手段とを備えたことを特徴とする入退管理ゲート装置。
【請求項４】
カード情報と携帯電話機の携帯電話情報を記録してある入退館カードを利用するカード利用者が入退館するセキュリティ室の出入口に設置され、開閉可能なゲートとカード読取部を有しており、前記カード読取部により前記入退館カードの読取りを行い、そして、前記カード利用者の携行する携帯電話機から位置情報登録した携帯電話機の登録携帯電話情報をゲートの最寄りの基地局から取得する登録携帯電話情報取得手段と、前記入退館カードから読取った携帯電話情報と前記基地局から取得した登録携帯電話情報とを照合する照合手段と、前記入退館カードから読取った携帯電話情報と前記基地局から取得した登録携帯電話情報とが一致した時、前記ゲートを開放するゲート開閉制御手段とを備えたことを特徴とする入退管理ゲート装置。
【請求項５】
入退管理ゲート装置の最寄りに設置され、携帯電話機の位置情報登録を行い、前記入退管理ゲート装置からの入退館カードから読取った携帯電話情報について位置情報登録済みか位置情報未登録かの問い合わせを受け付ける受付手段と、位置情報登録済み又は位置情報未登録の確認を行う確認手段と、位置情報登録済み又は位置情報未登録の確認結果を前記入退管理ゲート装置に返信する返信手段とを備えたことを特徴とする基地局。
【発明の詳細な説明】
【技術分野】
【０００１】
本発明は、入退館カードと携帯電話機を連携させてセキュリティ室への入退館のセキュリティを管理する入退館セキュリティ管理システム、入退管理ゲート装置及び基地局に関するものである。
【背景技術】
【０００２】
現状では、ＩＤカード等の入退館カードを第三者（不心得者）に拾われる又は盗まれると、入退館カードを第三者に不正に使用されるリスクがある。
【０００３】
従来、ＩＤカードの認証を行うＩＤカードシステムが提案されている。
【０００４】
また、ＩＤカードや指紋などの代わりに携帯電話を活用したセキュリティシステムが特許文献１に開示されている。
【０００５】
さらに、ＩＤカードの情報を読取ることに基づいて認証信号を出力するＩＤカード対応型セキュリティ装置が特許文献２に開示されている。
【特許文献１】特開２００４−３５３３９７号公報
【特許文献２】特開平５−６７２５８号公報
【発明の開示】
【発明が解決しようとする課題】
【０００６】
ところが、従来のＩＤカードシステムでは、そのカードがカード利用者本人のものであるか否かの判断はできない。
そのため、暗証番号／生体認証などとの組合わせにより、セキュリティレベルを高めたシステムが提供されているが、それぞれ長所はあるものの、ワンアクション追加されることによる不便は避けられない。
【０００７】
また、特許文献１に開示された携帯電話を活用したセキュリティシステムでは、携帯電話自体を認証に使用するが、携帯電話を落とすと、携帯電話を他人に不正に使用されるおそれがあった。
【０００８】
さらに、特許文献２に開示されたＩＤカード対応型セキュリティ装置では、複数枚のカードを組合わせて出力信号を管理し、複数枚のＩＤカードを読取り手段にかざして読取らせる必要があった。
【０００９】
そこで、本発明の目的は、上記の事情に鑑みてなされたものであって、入退管理ゲート装置の最寄りに携帯電話機と交信可能な基地局を設置したので、カード利用者が携行する携帯電話機から最寄りの基地局に位置情報登録を行うことができ、カード利用者が携行する携帯電話機の携帯電話情報をあらかじめ入退館カード内に記録しておき、入退館カードを利用するカード利用者が入退管理ゲート装置を通過する時に、カード利用者の提示する入退館カード内に記録された携帯電話情報を入退管理ゲート装置のカード読取部で読取ると同時に、入退館カードから読取った携帯電話情報がゲートの最寄りの基地局に位置情報登録を行った携帯電話機の携帯電話情報であるかを確認することにより、社会生活を送るほとんどの方が携行する携帯電話機を活用して、簡便且つ確実に入退館管理のセキュリティを高めることができ、入退館カードは携帯電話機を持っているカード利用者本人しか使えず、第三者のセキュリティ室への不法侵入などの未然防止を図ることができ、入退館カード紛失などにより、入退館カードが第三者に不正に使用されることを未然に防止することができ、入退館カードと携帯電話機とを連携させてセキュリティ室への入退館のセキュリティを管理することが可能な入退館セキュリティ管理システム、入退管理ゲート装置及び基地局を提供することにある。
【課題を解決するための手段】
【００１０】
本発明の入退館セキュリティ管理システムは、入退館カードと、最寄りの基地局に位置情報登録を行う登録手段を備え、前記入退館カードを利用するカード利用者が携行する携帯電話機と、前記カード利用者が入退館するセキュリティ室の出入口に設置され、開閉可能なゲートとカード読取部を有する入退管理ゲート装置とから構成され、前記入退館カードと前記携帯電話機を連携して前記セキュリティ室への入退館のセキュリティを管理するシステムであって、前記入退館カードが、カード情報と前記携帯電話機の携帯電話情報を記録しており、前記入退管理ゲート装置が、前記カード読取部により前記入退館カードの読取りを行い、そして、ゲートの最寄りの基地局に読取った前記入退館カードの携帯電話情報について前記カード利用者の携行する携帯電話機から位置情報登録済みか位置情報未登録かの問い合わせを行う問い合わせ手段と、該基地局からの位置情報登録済み又は位置情報未登録の確認結果を受け取る受取手段と、前記入退館カードから読取った携帯電話情報が該基地局に位置情報登録済みである時、前記ゲートを開放するゲート開閉制御手段とを備えたことを特徴とする構成を有するものである。
【００１１】
本発明の入退館セキュリティ管理システムは、入退館カードと、最寄りの基地局に位置情報登録を行う登録手段を備え、前記入退館カードを利用するカード利用者が携行する携帯電話機と、前記カード利用者が入退館するセキュリティ室の出入口に設置され、開閉可能なゲートとカード読取部を有する入退管理ゲート装置とから構成され、前記入退館カードと前記携帯電話機を連携して前記セキュリティ室への入退館のセキュリティを管理するシステムであって、前記入退館カードが、カード情報と前記携帯電話機の携帯電話情報を記録しており、前記入退管理ゲート装置が、前記カード読取部により前記入退館カードの読取りを行い、そして、前記カード利用者の携行する携帯電話機から位置情報登録した携帯電話機の登録携帯電話情報をゲートの最寄りの基地局から取得する登録携帯電話情報取得手段と、前記入退館カードから読取った携帯電話情報と該基地局から取得した登録携帯電話情報とを照合する照合手段と、前記入退館カードから読取った携帯電話情報と該基地局から取得した登録携帯電話情報とが一致した時、前記ゲートを開放するゲート開閉制御手段とを備えたことを特徴とする構成を有するものである。
【００１２】
本発明の入退管理ゲート装置は、カード情報と携帯電話機の携帯電話情報を記録してある入退館カードを利用するカード利用者が入退館するセキュリティ室の出入口に設置され、開閉可能なゲートとカード読取部を有しており、前記カード読取部により前記入退館カードから携帯電話情報の読取りを行い、そして、ゲートの最寄りの基地局に読取った前記入退館カードの携帯電話情報について前記カード利用者の携行する携帯電話機から位置情報登録済みか位置情報未登録かの問い合わせを行う問い合わせ手段と、前記基地局からの位置情報登録済み又は位置情報未登録の確認結果を受け取る受取手段と、前記入退館カードから読取った携帯電話情報が前記基地局に位置情報登録済みである時、前記ゲートを開放するゲート開閉制御手段とを備えたことを特徴とする構成を有するものである。
【００１３】
本発明の入退管理ゲート装置は、カード情報と携帯電話機の携帯電話情報を記録してある入退館カードを利用するカード利用者が入退館するセキュリティ室の出入口に設置され、開閉可能なゲートとカード読取部を有しており、前記カード読取部により前記入退館カードの読取りを行い、そして、前記カード利用者の携行する携帯電話機から位置情報登録した携帯電話機の登録携帯電話情報をゲートの最寄りの基地局から取得する登録携帯電話情報取得手段と、前記入退館カードから読取った携帯電話情報と前記基地局から取得した登録携帯電話情報とを照合する照合手段と、前記入退館カードから読取った携帯電話情報と前記基地局から取得した登録携帯電話情報とが一致した時、前記ゲートを開放するゲート開閉制御手段とを備えたことを特徴とする構成を有するものである。
【００１４】
本発明の基地局は、入退管理ゲート装置の最寄りに設置され、携帯電話機の位置情報登録を行い、前記入退管理ゲート装置からの入退館カードから読取った携帯電話情報について位置情報登録済みか位置情報未登録かの問い合わせを受け付ける受付手段と、位置情報登録済み又は位置情報未登録の確認を行う確認手段と、位置情報登録済み又は位置情報未登録の確認結果を前記入退管理ゲート装置に返信する返信手段とを備えたことを特徴とする構成を有するものである。
【発明の効果】
【００１５】
以上に述べたように、本発明によれば、入退管理ゲート装置の最寄りに携帯電話機と交信可能な基地局を設置したので、カード利用者が携行する携帯電話機から最寄りの基地局に位置情報登録を行うことができ、カード利用者が携行する携帯電話機の携帯電話情報をあらかじめ入退館カード内に記録しておき、入退館カードを利用するカード利用者が入退管理ゲート装置を通過する時に、カード利用者の提示する入退館カード内に記録された携帯電話情報を入退管理ゲート装置のカード読取部で読取ると同時に、入退館カードから読取った携帯電話情報がゲートの最寄りの基地局に位置情報登録を行った携帯電話機の携帯電話情報であるかを確認することにより、社会生活を送るほとんどの方が携行する携帯電話機を活用して、簡便且つ確実に入退館管理のセキュリティを高めることができ、入退館カードは携帯電話機を持っているカード利用者本人しか使えず、第三者のセキュリティ室への不法侵入などの未然防止を図ることができ、入退館カード紛失などにより、入退館カードが第三者に不正に使用されることを未然に防止することができ、入退館カードと携帯電話機とを連携させてセキュリティ室への入退館のセキュリティを管理することが可能な入退館セキュリティ管理システム、入退管理ゲート装置及び基地局を得ることができる。
【発明を実施するための最良の形態】
【００１６】
以下、本発明を実施するための最良の形態を図面を参照して詳細に説明する。
【実施例】
【００１７】
図１は、本発明の第１実施例及び第２実施例に係る入退館セキュリティ管理システムを示すシステム構成図である。
【００１８】
本発明の入退館セキュリティ管理システムＳは、ＩＤカード等の入退館カードＣと、最寄りの基地局ＢＳに位置情報登録を行う登録手段を備え、入退館カードＣを利用するカード利用者１０が携行する携帯電話機１と、カード利用者１０が入退館するセキュリティ室２の出入口２０に設置され、開閉可能なゲート３０とカード読取部３１を有する入退管理ゲート装置３とから構成され、入退館カードＣと携帯電話機１を連携してセキュリティ室２への入退館のセキュリティを管理するシステムである。
【００１９】
本発明の入退館セキュリティ管理システムＳは、入退館カードＣが、カード情報と携帯電話機１の携帯電話情報である携帯電話番号情報を記録している。
【００２０】
本発明の入退館セキュリティ管理システムＳは、入退管理ゲート装置３が、カード読取部３１により入退館カードＣの読取りを行うようになっている。
【００２１】
本発明の入退館セキュリティ管理システムＳは、入退管理ゲート装置３が、ゲート３０の最寄りの基地局ＢＳに読取った入退館カードＣの携帯電話番号情報についてカード利用者１０の携行する携帯電話機１から位置情報登録済みか位置情報未登録かの問い合わせを行う問い合わせ手段と、ゲート３０の最寄りの基地局ＢＳからの位置情報登録済み又は位置情報未登録の確認結果を受け取る受取手段と、入退館カードＣから読取った携帯電話番号情報がゲート３０の最寄りの基地局ＢＳに位置情報登録済みである時、ゲート３０を開放するゲート開閉制御手段とを備えている。
【００２２】
本発明の入退管理ゲート装置は、カード情報と携帯電話機１の携帯電話番号情報を記録してある入退館カードＣを利用するカード利用者１０が入退館するセキュリティ室２の出入口２０に設置されている。
【００２３】
本発明の入退管理ゲート装置は、開閉可能なゲート３０とカード読取部３１を有しており、カード読取部３１により入退館カードＣから携帯電話番号情報の読取りを行うようになっている。
【００２４】
本発明の入退管理ゲート装置は、ゲート３０の最寄りの基地局ＢＳに読取った入退館カードＣの携帯電話番号情報についてカード利用者１０の携行する携帯電話機１から位置情報登録済みか位置情報未登録かの問い合わせを行う問い合わせ手段と、ゲート３０の最寄りの基地局ＢＳからの位置情報登録済み又は位置情報未登録の確認結果を受け取る受取手段と、入退館カードＣから読取った携帯電話番号情報がゲート３０の最寄りの基地局ＢＳに位置情報登録済みである時、ゲート３０を開放するゲート開閉制御手段とを備えている。
【００２５】
本発明の基地局は、入退管理ゲート装置３の最寄りに設置され、携帯電話機１の位置情報登録を行うようになっている。
【００２６】
本発明の基地局は、入退管理ゲート装置３からの入退館カードＣから読取った携帯電話番号情報について位置情報登録済みか位置情報未登録かの問い合わせを受け付ける受付手段と、位置情報登録済み又は位置情報未登録の確認を行う確認手段と、位置情報登録済み又は位置情報未登録の確認結果を入退管理ゲート装置３に返信する返信手段とを備えている。
【００２７】
入退館カードＣ内に、あらかじめカード情報とカード利用者１０が携行する携帯電話機１の携帯電話番号情報を記録しておく。
【００２８】
入退館カードＣを利用するカード利用者１０が携行する携帯電話機１は、最寄りの基地局ＢＳに位置情報登録を行う登録手段を備えている。
【００２９】
カード利用者１０が入退館するセキュリティ室２の出入口２０には、図１に示すように、入退管理ゲート装置３が設置されている。
【００３０】
入退管理ゲート装置３は、開閉可能なゲート３０とカード読取部３１とを有している。
【００３１】
カード発行会社４には、図１に示すように、カード利用者１０に対してＩＤカード等の入退館カードＣを発行するカード発行装置４０が設置されている。
【００３２】
カード発行装置４０は、カード情報とカード利用者１０が携行する携帯電話機１の携帯電話番号情報を入退館カードＣ内に登録する登録手段を備えている。
【００３３】
本発明の入退館セキュリティ管理システムは、以下に示すような特徴を有している。
（１）ＩＤカード等の入退館カードＣを利用するカード利用者１０は、カード発行申請時に、カード情報と携行する携帯電話機１の携帯電話番号情報をカード発行会社４に申告する。
【００３４】
（２）カード発行装置４０は、入退館カードＣ内にカード利用者１０が申告したカード情報と携帯電話番号情報を登録する。
【００３５】
（３）カード発行装置４０は、カード情報と携帯電話番号情報を登録した入退館カードＣをカード利用者１０に発行する。
【００３６】
（４）カード利用者１０の携行する携帯電話機１は、最寄りの基地局ＢＳに位置情報登録を行う。
【００３７】
（５）入退管理ゲート装置３は、カード読取部３１により入館希望者であるカード利用者１０の入退館カードＣを読取る。
【００３８】
（６）入退管理ゲート装置３は、ゲート３０の最寄りの基地局ＢＳに入退館カードＣから読取った携帯電話番号情報についてカード利用者１０の携行する携帯電話機１から位置情報登録済みか位置情報未登録かの問い合わせを行う。
【００３９】
（７）入退管理ゲート装置３は、ゲート３０の最寄りの基地局ＢＳからの位置情報登録済み又は位置情報未登録の確認結果を受け取る。
【００４０】
（８）入退管理ゲート装置３は、入退館カードＣから読取った携帯電話番号情報がゲート３０の最寄りの基地局ＢＳに位置情報登録済みならば、ゲートロックの解除などの次処理に移り、カード利用者１０の入退管理ゲート装置３の通過を許可し、また、入退館カードＣから読取った携帯電話番号情報がゲート３０の最寄りの基地局ＢＳに位置情報未登録ならば、カード利用者１０の入退管理ゲート装置３の通過を拒否する。
【００４１】
本発明の入退館セキュリティ管理システムは、ＩＤカード等の入退館カードＣと携帯電話機１とを連携させることによる入退管理ゲート装置３での二重セキュリティとゲートロック機能を有する。
【００４２】
また、入退館カードＣは、携帯電話機１を持っている本人しか使えず、入退館カードＣの不正使用によるセキュリティ室２への第三者の不法侵入などの未然防止を図れる。
【００４３】
また、入退館カードＣの紛失時、入退館カードＣから読取った携帯電話番号情報がゲート３０の最寄りの基地局ＢＳに位置情報登録済みでなければ、入退館カードＣが使用不可となり、入退館カードＣをカード利用者１０以外の第三者に不正に使用されるリスクは何ら生じない。
【００４４】
さらに、入退館カードＣの紛失時は、救済処置として入退館カードＣをカード利用者１０に再発行しても、紛失した入退館カードＣの不正利用などのリスクは無い。
【００４５】
図２は、本発明の第１実施例に係る入退館セキュリティ管理システムにおける携帯電話機を携行するカード利用者のセキュリティ室内への入館時の処理の流れを説明するフローチャート図である。
ステップＳ１００でスタートした処理は、まず、ＩＤカード等の入退館カードＣのカード発行会社４へのカード発行申請時に、カード利用者１０がカード情報と携行する携帯電話機１の携帯電話番号情報をカード発行会社４に申告し（ステップＳ１０１）、次いで、カード発行装置４０がカード利用者１０の申告したカード情報と携帯電話番号情報を入退館カードＣ内に登録し（ステップＳ１０２）、その後、カード発行装置４０がカード情報と携帯電話番号情報を登録した入退館カードＣをカード利用者１０に発行する（ステップＳ１０３）。
【００４６】
次いで、カード利用者１０の携行する携帯電話機１の登録手段が最寄りの基地局ＢＳに位置情報登録を行う（ステップＳ１０４）。
【００４７】
次いで、携帯電話機１を携行する入館希望者であるカード利用者１０がセキュリティ室２の出入口２０に設置された入退管理ゲート装置３を通過する時、入退館カードＣを提示すると、入退管理ゲート装置３がカード読取部３１でカード利用者１０の利用する入退館カードＣを読取り（ステップＳ１０５）、次いで、入退管理ゲート装置３の問い合わせ手段がゲート３０の最寄りの基地局ＢＳに入退館カードＣから読取った携帯電話番号情報についてカード利用者１０の携行する携帯電話機１から位置情報登録済みか位置情報未登録かの問い合わせを行う（ステップＳ１０６）。
【００４８】
次いで、入退管理ゲート装置３の受取手段がゲート３０の最寄りの基地局ＢＳからの位置情報登録済み又は位置情報未登録の確認結果を受け取り（ステップＳ１０７）、その後、入退館カードＣから読取った携帯電話番号情報がゲート３０の最寄りの基地局ＢＳに位置情報登録済みかを判断する（ステップＳ１０８）。
【００４９】
ここで、入退館カードＣから読取った携帯電話番号情報がゲート３０の最寄りの基地局ＢＳに位置情報登録済みである場合（ステップＳ１０８“ＹＥＳ”）、携帯電話機１を携行するカード利用者１０の入退管理ゲート装置３の通過を許可し、入退管理ゲート装置３のゲート開閉制御手段がゲートロックを解除してゲート３０を開放し（ステップＳ１０９）、携帯電話機１を携行するカード利用者１０が入退館カードＣを持ちながら入退管理ゲート装置３を通過してセキュリティ室２内に入館する。
【００５０】
また、入退館カードＣから読取った携帯電話番号情報がゲート３０の最寄りの基地局ＢＳに位置情報未登録である場合（ステップＳ１０８“ＮＯ”）、携帯電話機１を携行するカード利用者１０の入退管理ゲート装置３の通過を拒否し、入退管理ゲート装置３のゲート開閉制御手段がゲートロックを解除せず、ゲート３０を閉鎖したままの状態を維持し（ステップＳ１１０）、携帯電話機１を携行するカード利用者１０が入退管理ゲート装置３を通過することはできない。
【００５１】
以下、本発明の第２実施例に係る入退館セキュリティ管理システムについて図１を用いて説明する。
【００５２】
本発明の入退館セキュリティ管理システムＳは、入退管理ゲート装置３が、カード利用者１０の携行する携帯電話機１から位置情報登録した携帯電話機１の登録携帯電話情報である登録携帯電話番号情報をゲート３０の最寄りの基地局ＢＳから取得する登録携帯電話情報取得手段と、入退館カードＣから読取った携帯電話番号情報とゲート３０の最寄りの基地局ＢＳから取得した登録携帯電話番号情報とを照合する照合手段と、入退館カードＣから読取った携帯電話番号情報とゲート３０の最寄りの基地局ＢＳから取得した登録携帯電話番号情報とが一致した時、ゲート３０を開放するゲート開閉制御手段とを備えている。
【００５３】
なお、本発明の第２実施例に係る入退館セキュリティ管理システムの他の構成は、図１に示す第１実施例とほぼ同様のため、説明を省略する。
【００５４】
本発明の入退管理ゲート装置は、カード情報と携帯電話機１の携帯電話番号情報を記録してある入退館カードＣを利用するカード利用者１０が入退館するセキュリティ室２の出入口２０に設置され、開閉可能なゲート３０とカード読取部３１を有しており、カード読取部３１により入退館カードＣの読取りを行うようになっている。
【００５５】
本発明の入退管理ゲート装置は、カード利用者１０の携行する携帯電話機１から位置情報登録した携帯電話機１の登録携帯電話番号情報をゲート３０の最寄りの基地局ＢＳから取得する登録携帯電話情報取得手段と、入退館カードＣから読取った携帯電話番号情報とゲート３０に最寄りの基地局ＢＳから取得した登録携帯電話番号情報とを照合する照合手段と、入退館カードＣから読取った携帯電話番号情報とゲート３０に最寄りの基地局ＢＳから取得した登録携帯電話番号情報とが一致した時、ゲート３０を開放するゲート開閉制御手段とを備えている。
【００５６】
図３は、本発明の第２実施例に係る入退館セキュリティ管理システムにおける携帯電話機を携行するカード利用者のセキュリティ室内への入館時の処理の流れを説明するフローチャート図である。
ステップＳ２００でスタートした処理は、まず、ＩＤカード等の入退館カードＣのカード発行会社４へのカード発行申請時に、カード利用者１０がカード情報と携行する携帯電話機１の携帯電話番号情報をカード発行会社４に申告し（ステップＳ２０１）、次いで、カード発行装置４０がカード利用者１０の申告したカード情報と携帯電話番号情報を入退館カードＣ内に登録し（ステップＳ２０２）、その後、カード発行装置４０がカード情報と携帯電話番号情報を登録した入退館カードＣをカード利用者１０に発行する（ステップＳ２０３）。
【００５７】
次いで、カード利用者１０の携行する携帯電話機１の登録手段が最寄りの基地局ＢＳに位置情報登録を行う（ステップＳ２０４）。
【００５８】
次いで、携帯電話機１を携行する入館希望者であるカード利用者１０がセキュリティ室２の出入口２０に設置された入退管理ゲート装置３を通過する時、入退館カードＣを提示すると、入退管理ゲート装置３がカード読取部３１でカード利用者１０の利用する入退館カードＣを読取り（ステップＳ２０５）、次いで、入退管理ゲート装置３の登録携帯電話情報取得手段がカード利用者１０の携行する携帯電話機１から位置情報登録した携帯電話機１の登録携帯電話情報である登録携帯電話番号情報をゲート３０の最寄りの基地局ＢＳから取得する（ステップＳ２０６）。
【００５９】
次いで、入退管理ゲート装置３の照合手段が入退館カードＣから読取った携帯電話番号情報とゲート３０の最寄りの基地局ＢＳから取得した登録携帯電話番号情報とを照合し（ステップＳ２０７）、その後、入退館カードＣから読取った携帯電話番号情報とゲート３０の最寄りの基地局ＢＳから取得した登録携帯電話番号情報とが一致したかを判断する（ステップＳ２０８）。
【００６０】
ここで、入退館カードＣから読取った携帯電話番号情報とゲート３０の最寄りの基地局ＢＳから取得した登録携帯電話番号情報とが一致した場合（ステップＳ２０８“ＹＥＳ”）、携帯電話機１を携行するカード利用者１０の入退管理ゲート装置３の通過を許可し、入退管理ゲート装置３のゲート開閉制御手段がゲートロックを解除してゲート３０を開放し（ステップＳ２０９）、携帯電話機１を携行するカード利用者１０が入退館カードＣを持ちながら入退管理ゲート装置３を通過してセキュリティ室２内に入館する。
【００６１】
また、入退館カードＣから読取った携帯電話番号情報とゲート３０の最寄りの基地局ＢＳから取得した登録携帯電話番号情報とが一致しない場合（ステップＳ２０８“ＮＯ”）、携帯電話機１を携行するカード利用者１０の入退管理ゲート装置３の通過を拒否し、入退管理ゲート装置３のゲート開閉制御手段がゲートロックを解除せず、ゲート３０を閉鎖したままの状態を維持し（ステップＳ２１０）、携帯電話機１を携行するカード利用者１０が入退管理ゲート装置３を通過することはできない。
【図面の簡単な説明】
【００６２】
【図１】本発明の第１実施例及び第２実施例に係る入退館セキュリティ管理システムを示すシステム構成図。
【図２】本発明の第１実施例に係る入退館セキュリティ管理システムにおける携帯電話機を携行するカード利用者のセキュリティ室内への入館時の処理の流れを説明するフローチャート図。
【図３】本発明の第２実施例に係る入退館セキュリティ管理システムにおける携帯電話機を携行するカード利用者のセキュリティ室内への入館時の処理の流れを説明するフローチャート図。
【符号の説明】
【００６３】
１  携帯電話機
２  セキュリティ室
３  入退管理ゲート装置
４  カード発行会社
１０  カード利用者
２０  出入口
３０  ゲート
３１  カード読取部
４０  カード発行装置
ＢＳ  基地局
Ｃ  入退館カード
Ｓ  入退館セキュリティ管理システム
【図１】
2007006004.tif 000003
【図２】
2007006004.tif 000004
【図３】
2007006004.tif 000005